(57)【特許請求の範囲】
【請求項１】
本体と、
前記本体を傾斜可能に保持する台座と、
前記本体の側に設けられ前記本体を前記台座に対して所定角度に傾斜して固定可能とする左右方向に幅を持つ突起部と、
前記台座の側に設けられ前記突起部と嵌合して前記本体を台座に対して所定角度に傾斜して固定させる左右方向に幅を持つ溝部と、を具備し、
前記溝部は、前記本体を前記台座に装着する軸部の軸方向に並列に位置する第１の領域と第２の領域とを持ち、前記突起部を前記溝部に対して上向きに移動させた場合は、前記第１の領域における溝部上面が前記第２の領域における溝部上面よりも先に前記突起部の上面に当接し、かつ、前記突起部を前記溝部に対して下向きに移動させた場合は、前記第２の領域における溝部下面が前記第１の領域における溝部下面よりも先に前記突起部の下面に当接するように構成したことを特徴とする端末装置。
【請求項２】
前記第１の領域における溝部上面は溝部外縁との成す角度（α）を略直角または鋭角となるように形成することを特徴とする請求項１に記載の端末装置。
【請求項３】
前記第１の領域における溝部下面は前記第１の領域における溝部上面と平行か溝部の底面に向かって狭くなるように溝部外縁との成す角度（β）を形成することを特徴とする請求項２に記載の端末装置。
【請求項４】
前記突起部は、前記突起部と一体に構成され前記突起部を前記溝部の方向に係合する係合部材を具備することを特徴とする請求項１から請求項３のいずれか１項に記載の端末装置。
【請求項５】
前記突起部は、前記突起部と一体に構成され前記突起部を前記溝部の方向と逆方向に係合解除する係合解除部材と、を具備することを特徴とする請求項４に記載の端末装置。
【発明の詳細な説明】
【技術分野】
【０００１】
本発明は、卓上電話やＰＣ等の端末装置に関し、特に、卓上や壁に設置して、表示を見たり操作したりするために操作性を向上させた端末装置に関する。
【背景技術】
【０００２】
端末装置の操作パネル部の操作性を向上させるためその傾斜を変更する様々な構成が取られている。例えば、脚部の取り付け角度を変えて付け替えさせるものや、脚部を半回転させて脚部の高さ変えることにより操作パネル部の傾斜を変更させるもの、操作パネル部と脚部との支持脚に傾斜調整機構を持たせるもの等である。
【０００３】
端末装置の一例である角度補助台付電話装置において、操作パネル部を傾斜可能に構成するにあたり、角度補助台のローレット溝部と突起部とが嵌合することにより傾斜角度を所望の角度に設定できるものがある（特許文献１）。
【先行技術文献】
【特許文献】
【０００４】
【特許文献１】特開２００４−１９４０９０号公報
【発明の概要】
【発明が解決しようとする課題】
【０００５】
上記従来例によれば、脚部の取り付け角度を変えて付け替えさせるもの等に比べ、容易に装置本体を所望の傾斜に角度調節をすることができ、非常に使い勝手のよいものであった。しかしながら、操作パネル部に必要以上の力が加わったときや第三者が装置本体を持ち上げたときにもその傾斜が変更されてしまう可能性があった。するとその変更は使用者に違和感を与えてしまう。そこで本発明は、装置本体を所望の傾斜に簡単に設定できると共に傾斜位置を確実に固定することができる端末装置を提供することを目的とする。
【課題を解決するための手段】
【０００６】
本発明の端末装置は、
本体と、
前記本体を傾斜可能に保持する台座と、
前記本体の側に設けられ前記本体を前記台座に対して所定角度に傾斜して固定可能とする左右方向に幅を持つ突起部と、
前記台座の側に設けられ前記突起部と嵌合して前記本体を台座に対して所定角度に傾斜して固定させる左右方向に幅を持つ溝部と、を具備し、
前記溝部は、前記本体を前記台座に装着する軸部の軸方向に並列に位置する第１の領域と第２の領域とを持ち、前記突起部を前記溝部に対して上向きに移動させた場合は、前記第１の領域における溝部上面が前記第２の領域における溝部上面よりも先に前記突起部の上面に当接し、かつ、前記突起部を前記溝部に対して下向きに移動させた場合は、前記第２の領域における溝部下面が前記第１の領域における溝部下面よりも先に前記突起部の下面に当接するように構成したことを特徴とする。
【発明の効果】
【０００７】
本発明によれば、突起部と溝部の嵌合状態を確実に保持するので、本体を所望の傾斜に簡単に設定でき、かつ、確実に固定することができる。
【図面の簡単な説明】
【０００８】
【図１】第１実施形態における電話装置の斜視図
【図２】第１実施形態における電話装置の背面側斜視図
【図３】第１実施形態における装置本体側の本体支持部を説明する図
【図４】第１実施形態における台座側の本体支持部を説明する図
【図５】第１実施形態における電話装置の背面図
【図６】本体支持部のＡ−Ａ線断面図
【図７】本体支持部のＢ−Ｂ線断面図
【図８】溝部上面の配置を説明する図
【図９】溝部下面の配置を説明する図
【図１０】溝部の詳細を説明する図
【図１１】支脚支持部の金型を閉じた状態を説明する図
【図１２】支脚支持部の金型を開いた状態を説明する図
【図１３】平常時の当接リブの状態を説明する図
【図１４】台座への当接リブの接触状態を説明する図
【図１５】当接リブの作用を説明する図
【発明を実施するための形態】
【０００９】
前記課題を解決するためになされた本発明は、本体と、前記本体を傾斜可能に保持する台座と、前記本体の側に設けられ前記本体を前記台座に対して所定角度に傾斜して固定可能とする左右方向に幅を持つ突起部と、前記台座の側に設けられ前記突起部と嵌合して前記本体を台座に対して所定角度に傾斜して固定させる左右方向に幅を持つ溝部と、を具備し、前記溝部は、前記本体を前記台座に装着する軸部の軸方向に並列に位置する第１の領域と第２の領域とを持ち、前記突起部を前記溝部に対して上向きに移動させた場合は、前記第１の領域における溝部上面が前記第２の領域における溝部上面よりも先に前記突起部の上面に当接し、かつ、前記突起部を前記溝部に対して下向きに移動させた場合は、前記第２の領域における溝部下面が前記第１の領域における溝部下面よりも先に前記突起部の下面に当接するように構成したことを特徴とする端末装置である。
【００１０】
これによって、突起部と溝部の嵌合状態を確実に保持するので、本体を所望の傾斜に簡単に設定でき、かつ、確実に固定することができる。
【００１１】
更に、当接しない溝部面と溝部外縁との成す角度を溝部の形成し易さを考慮して自由に形成することができる。
【００１２】
また、本発明は、前記第１の領域における溝部上面は溝部外縁との成す角度（α）を略直角または鋭角となるように形成することを特徴とするものである。
【００１３】
これによって、突起部と溝部の嵌合状態を溝部上面と溝部底面とが形成する角度がもたらす拘束力により確実に保持するので、本体を所望の傾斜に簡単に設定でき、かつ、確実に固定することができる。
【００１４】
また、本発明は、前記第１の領域における溝部下面は前記第１の領域における溝部上面と平行か溝部の底面に向かって狭くなるように溝部外縁との成す角度（β）を形成することを特徴とするものである。
【００１５】
これによって、製造時の金型に抜き勾配を確保でき、特殊な工法を用いずとも、溝部の形成が容易にできる。
【００１６】
また、本発明は、前記突起部は、前記突起部と一体に構成され前記突起部を前記溝部の方向に係合する係合部材を具備することを特徴とするものである。
【００１７】
これによって、突起部が溝部の方向に係合され、突起部と溝部の嵌合状態が確実に保持されるので、本体を所望の傾斜に簡単に設定でき、かつ、確実に固定することができる。
【００１８】
また、本発明は、前記突起部は、前記突起部と一体に構成され前記突起部を前記溝部の方向と逆方向に係合解除する係合解除部材と、を具備することを特徴とするものである。
【００１９】
これによって、突起部が溝部の方向と逆方向に係合解除され、突起部と溝部の嵌合状態が簡単に解除されるので、本体を所望の傾斜に簡単に設定でき、かつ、確実に固定することができる。
【００２０】
以下、本発明の実施形態について、図面を参照して説明する。
【００２１】
（第１の実施形態）
＜全体構成＞
図１は第１実施形態における電話装置１の斜視図である。図１において、電話装置１は、電話機能が内蔵された装置本体１０と、装置本体１０を支持する台座２０と、台座２０に対する装置本体１０の傾斜角度を変更可能に支持する本体支持部３０とを備えている。併せて、図１に座標軸を表示する。操作者が電話装置１を操作する場合に合わせて、Ｘ軸は左右を表し、Ｙ軸は奥行き（操作者側を手前）を表す。Ｚ軸は垂直方向を表し、紙面上方を上方向とする。Ｘ軸とＹ軸とのなす平面は台座２０を載置する面であり、たとえば卓上のように水平面であるものとする。
【００２２】
Ｘ軸とＺ軸との間に示す点線はＹ軸を基点とする傾斜角度である。装置本体１０の傾斜角度に相当する。具体的には、装置本体１０を上方向に傾斜させることは、傾斜角度を大きくすることである。逆に、装置本体１０を下降させることは、傾斜角度を小さくすることである。
【００２３】
装置本体１０は、略直方体に形成され、操作者に対向する前面に操作パネル部１１を設け、箱状の他の面に電話機能を有する回路基板を覆う本体基部１２を設ける。操作パネル部１１の左側には送受話器Ｈが配置されている。操作パネル部１１は、電話番号表示や、時計表示、通話時間表示など各種表示を行う表示部１３と、数字キーや機能キーなどが配列された操作キー部１４とが設けられている。表示部１３としては、液晶表示パネルが使用できる。
【００２４】
図２は第１実施形態における電話装置１の背面側斜視図である。図２において、電話装置１は、装置本体１０の背面に下方に垂直断面を略扇形状に形成して台座２０方向へ膨出させた支脚１０１を形成する。また、台座２０の手前に垂直断面を略扇形状に形成して装置本体１０方向へ膨出させた支脚支持部２０１を形成する。支脚１０１及び支脚支持部２０１は、支脚１０１を支脚支持部２０１に嵌装することにより本体支持部３０を構成する。本体支持部３０により装置本体１０は台座２０に揺動自在に装着される。
【００２５】
＜本体側の支持部＞
図３は第１実施形態における装置本体１０側の本体支持部３０を説明する図である。電話装置１における装置本体１０を台座２０から取り外し、背面側から斜視したものである。図３において、装置本体１０は前述のように本体支持部３０を構成する支脚１０１を備える。支脚１０１は、装置本体１０を台座２０に対して所定角度に傾斜して固定可能とするための左右方向に幅を持つ突起部１０２と、突起部１０２を、台座２０に設けられた後述する溝部２０３の方向に係合する係合部材１０３と、突起部１０２を係合方向と逆方向に係合解除する係合解除部材１０４と、が一体となって形成されている。
【００２６】
突起部１０２は、突起部上面１０５と突起部下面１０６との間の厚さが端部側に向かって漸増するくさび形状、乃至略直方の形状としている。
【００２７】
装置本体１０の背面の最下方には、装置本体１０を台座２０に装着するときに台座２０に設けられた後述する軸部２０２を支持する軸支持部１０７、および装置本体１０を台座２０から取り外すときに軸支持部１０７の破損を防止する当接リブ１０８を備えている。
【００２８】
＜台座側の支持部＞
図４は第１実施形態における台座２０側の本体支持部３０を説明する図である。電話装置１における台座２０を装置本体１０から取り外し、手前側から斜視したものである。図４において、台座２０は前述のように本体支持部３０を構成する支脚支持部２０１を備える。
【００２９】
台座２０の最手前には、装置本体１０を台座２０に装着するときに装置本体１０の軸支持部１０７によって支持される軸部２０２を備えている。
【００３０】
支脚支持部２０１には、装置本体１０の支脚１０１の突起部１０２が嵌合される左右方向に幅を持つ溝部２０３が形成されている。
溝部２０３は、軸部２０２の軸方向に並列に位置する２つの領域（第１の領域、第２の領域とする）を持ち、それぞれ底面を隔てて上下２つの溝部外縁から形成される。
【００３１】
図４の丸囲み部は支脚支持部２０１を拡大して図示したものである。斜線を引いた部分が溝部２０３の底面に当たる部分を示している。また、点線で囲んでいる部分が第１の領域（その右隣の領域が第２の領域）を示している。
【００３２】
第１の領域において、上部外縁の構成部である溝部上面２０４は、装置本体１０を持って電話装置１を持ち上げたとき等、装置本体１０に上向きの力が加わったときに突起部上面１０５と当接するように形成されている。
【００３３】
下部外縁の構成部である溝部下面２０７は、装置本体１０が手前方向から奥方向へ強く押されたとき等、装置本体１０に下向きの力が加わったときに、先に第２の領域において突起部下面１０６と溝部下面２０６とを当接させるように、即ち、溝部下面２０７は突起部下面１０６と当接しないように溝部下面２０６よりも低い位置に形成されている。
【００３４】
なお、溝部下面２０７は、後述する溝部外縁との成す角度（β）が１８０度に近い場合の例としている。即ち、突起部下面１０６と溝部下面２０６とが当接するように構成すれば、溝部下面２０７自体は形成されていなくてもよい。形成し易さを考慮して設計が可能となる。
【００３５】
第２の領域において、下部外縁の構成部である溝部下面２０６は、装置本体１０が手前方向から奥方向へ強く押されたとき等、装置本体１０に下向きの力が加わったときに突起部下面１０６に当接するように形成されている。
【００３６】
上部外縁の構成部である溝部上面２０５は、装置本体１０を持って電話装置１を持ち上げたとき等、装置本体１０に上向きの力が加わったときに、先に第１の領域において突起部上面１０５と溝部上面２０４とを当接させるように、即ち、溝部上面２０５は突起部上面１０５と当接しないように溝部上面２０４よりも高い位置に形成されている。
【００３７】
＜突起部と溝部外縁との当接断面＞
図５は第１実施形態における電話装置１の背面図である。Ａ−Ａ線及びＢ−Ｂ線は、本体支持部３０の断面位置を示すものであり、Ａ−Ａ線は、支脚支持部２０１に形成された第１の領域、即ち、溝部上面２０４と溝部下面２０７上に位置する。同様に、Ｂ−Ｂ線は、第２の領域、即ち、溝部上面２０５と溝部下面２０６上に位置する。
【００３８】
図６は本体支持部３０のＡ−Ａ線断面図である。装置本体１０と台座２０とが軸支持部１０７及び軸部２０２の嵌合により揺動可能に装着されている様子を示している。台座２０の支脚支持部２０１に形成された溝部２０３には、装置本体１０の支脚１０１に形成された突起部１０２が嵌合する。
【００３９】
このとき、突起部１０２は、軸部２０２方向に圧力を加えられた係合部材１０３が支脚支持部２０１方向に戻ろうとする反発力によって溝部２０３の方向への係合されている。
【００４０】
また、係合解除部材１０４が台座２０の下方から上方へ押し上げられたときには、係合部材１０３に対して突起部１０２を溝部２０３の方向と逆方向に係合解除する力が働くため、突起部１０２が溝部２０３から離れる構造となっている。
【００４１】
図６において、装置本体１０に上向きの力が加わったときには、装置本体１０が軸部２０２を中心に上方向に揺動し、突起部１０２の突起部上面１０５と溝部２０３の溝部上面２０４とが当接する構造となっている。
【００４２】
図７は本体支持部３０のＢ−Ｂ線断面図である。図６と同様に、装置本体１０と台座２０とが軸支持部１０７及び軸部２０２の嵌合により揺動可能に装着されている様子を示している。
【００４３】
図７において、装置本体１０に下向きの力が加わったときには、装置本体１０が軸部２０２を中心に下方向に揺動し、突起部１０２の突起部下面１０６と溝部２０３の溝部下面２０６とが当接する（このとき同様に突起部下面１０６は、溝部下面２０７とは当接していない）構造となっている。
【００４４】
図８は溝部上面２０４の配置を説明する図である。点線は軸部２０２の中心から支脚支持部２０１への垂線および溝部外縁との交点における接線である。垂線は軸部２０２を支点として矢印のように上下方向に揺動する。突起部１０２は厚みをゼロと考えた場合、この垂線の動きと同一視できる。装置本体１０が軸部２０２を中心に上下方向に揺動する場合、突起部１０２も矢印のように上下方向に揺動する。
【００４５】
突起部１０２と当接する溝部上面２０４は、支脚支持部２０１の溝部外縁との間で成す角度（α度とする）を略直角、或いは略直角よりも小さく形成するものである。突起部１０２の上方向への揺動に対して溝部外縁との接点が常に支点として働き、その分力によって突起部１０２が溝部２０３方向に引き寄せられるため、突起部１０２と溝部２０３との間で拘束力が生じる構造となっている。
【００４６】
突起部１０２は、前述のように端部側に向かって漸増するくさび形状、乃至略直方の形状を成す。この突起部１０２の突起部上面１０５と、溝部上面２０４とが略平行に当接することにより、突起部１０２と溝部２０３との間で、更に拘束力が生じる構造となっている。
【００４７】
図９は溝部下面２０６の配置を説明する図である。図８と同様に点線は軸部２０２の中心から支脚支持部２０１への垂線および溝部外縁との交点における接線である。
【００４８】
突起部１０２と当接する溝部下面２０６は、支脚支持部２０１の溝部外縁との間で成す角度（θ度とする）を略直角、或いは略直角よりも小さく形成するものである。このようにすることで、突起部１０２の下方向への揺動に対して溝部外縁との接点が常に支点として働き、突起部１０２と溝部２０３との間で、拘束力が生じる構造となっている。
【００４９】
突起部１０２は、前述のように端部側に向かって漸増するくさび形状、乃至略直方の形状を成す。この突起部１０２の突起部下面１０６と、溝部下面２０６とが略平行に当接することにより、突起部１０２と溝部２０３との間で、更に拘束力が生じる構造となっている。
【００５０】
＜溝部の詳細＞
図１０は溝部２０３の詳細を説明する図である。図４において説明した支脚支持部２０１の溝部２０３を図解的に示している。図１０において、符号２５０は第１の領域を示し、符号２５１は第２の領域を示している。符号２５２〜２５４は第１の領域におけるＡ−Ａ線断面の取り得るパターンを、符号２５５〜２５７は第２の領域におけるＢ−Ｂ線断面の取り得るパターンを、それぞれ図面左方向を溝部底面側にして図解したものである。
【００５１】
符号２５２〜２５４のパターンが示すように、溝部上面２０４と溝部外縁とが形成する角度（図８において説明したα）は、略直角または鋭角を成す。このとき、溝部下面２０７は、溝部２０３の形成し易さを考慮して、溝部上面２０４と平行か溝部２０３の底面に向かって狭くなるように溝部外縁との成す角度（β）を形成している。
【００５２】
なお、溝部下面２０７は、符号２５２のパターンを符号２５３のパターンのように変更し、溝部外縁との成す角度（β）が更に１８０度に近い場合の例としている。このように形成し易さを考慮して設計が可能となる。
【００５３】
また、符号２５５〜２５７のパターンが示すように、溝部下面２０６と溝部外縁とが形成する角度（図９において説明したθ）は、略直角または鋭角を成す。このとき、溝部上面２０５は、溝部２０３の形成し易さを考慮して、溝部下面２０６と平行か溝部２０３の底面に向かって狭くなるように溝部外縁との成す角度（γ）を形成している。
【００５４】
溝部２０３の溝部上面２０４の溝部外縁側と溝部下面２０６の溝部外縁側との間隔（ｌ）は突起部１０２が嵌合するに必要十分な距離となっている。そして、溝部下面２０７の底面側の位置は溝部下面２０６の底面側の位置よりも下になるように形成している。同様に、溝部上面２０５の底面側の位置は溝部上面２０４の底面側の位置よりも上になるように形成している。
【００５５】
＜傾斜角の固定、解除の動作＞
上記に説明した構成の電話装置１の装置本体１０に上下それぞれの向きに力が加わったときの動作について図１０を参照しながら再び図６及び図７に戻って説明する。
【００５６】
図６において、装置本体１０に上向きの力が加わったときには、装置本体１０が軸部２０２を中心に上方向に揺動する。装置本体１０の揺動とともに突起部１０２が溝部２０３内を間隔（ｌ）の範囲で上方向に揺動する。すると、突起部１０２の突起部上面１０５は溝部２０３の溝部上面２０４と当接する。
【００５７】
突起部１０２の突起部上面１０５が溝部２０３の溝部上面２０４と当接すると、突起部１０２と溝部２０３との間で生じる拘束力により、力が加われば加わるほど強固に固定される。
【００５８】
このように突起部１０２が溝部２０３に確実に固定されるため、装置本体１０の台座２０に対する傾斜角度が上方向に容易に変ることを防ぐことができる。
【００５９】
他方、図１０において説明したように溝部上面２０５の底面側の位置が溝部上面２０４の底面側の位置よりも上になるように形成されているため突起部上面１０５は溝部上面２０５とは当接することがない。
【００６０】
このように、突起部１０２が上方向に揺動する場合には、第１の領域において溝部２０３に固定されるようにしているため、第２の領域における溝部上面２０５と溝部外縁との成す角度（γ）は、溝部２０３の形成し易さを考慮して自由に形成することができる。
【００６１】
同様に、図７において、装置本体１０に下向きの力が加わったときには、装置本体１０が軸部２０２を中心に下方向に揺動する。装置本体１０の揺動とともに突起部１０２が溝部２０３内を間隔（ｌ）の範囲で下方向に揺動する。すると、突起部１０２の突起部下面１０６は溝部２０３の溝部下面２０６と当接する。
【００６２】
突起部１０２の突起部下面１０６が溝部２０３の溝部下面２０６と当接すると、突起部１０２と溝部２０３との間で生じる拘束力により、力が加われば加わるほど強固に固定される。
【００６３】
このように突起部１０２が溝部２０３に確実に固定されるため、装置本体１０の台座２０に対する傾斜角度が下方向に容易に変ることを防ぐことができる。
【００６４】
他方、図１０において説明したように溝部下面２０７の底面側の位置が溝部下面２０６の底面側の位置よりも下になるように形成されているため突起部下面１０６は溝部下面２０７とは当接することがない。
【００６５】
このように、突起部１０２が下方向に揺動する場合には、第２の領域において溝部２０３に固定されるようにしているため、第１の領域における溝部下面２０７と溝部外縁との成す角度（β）は、溝部２０３の形成し易さを考慮して自由に形成することができる。
【００６６】
また、上記いずれの場合でも、係合解除部材１０４を台座２０の下方から上方へ押し上げてやりさえすれば係合部材１０３に対して突起部１０２を溝部２０３の方向と逆方向に係合解除する力が働く。このため、係合解除部材１０４の作用により突起部１０２が溝部２０３から離れ、装置本体１０の台座２０に対する傾斜角度を容易に変更することができる。
【００６７】
なお、溝部２０３は、軸部２０２の軸方向に並列に位置する２つの領域（第１の領域、第２の領域とする）を持つように説明したが、軸部２０２の軸方向に並列に位置すれば、第１の領域を挟んで第２の領域が２つある等を組合せてもよい。
【００６８】
ボタン操作等の装置本体１０を手前方向から奥方向へ強く押す操作が多い場合は、突起部１０２の下方向への移動により当接する溝部下面２０６の割合を増やし、装置本体１０を持ち上げる等の機会が多い場合は、突起部１０２の上方向への移動により当接する溝部上面２０４の割合を増やした方が頑丈になる。
【００６９】
また、溝部２０３は、２つの領域を持つ場合でも、一方の領域よりも他方の領域の方が左右方向の幅が広くなるように構成してもよい。
【００７０】
同様に、当接する機会が多い方の面を増やした方が頑丈になる。
【００７１】
また、溝部２０３は、支脚支持部２０１に１段のみ設けた場合を説明したが、複数段を設けるように構成してもよい。
【００７２】
装置本体１０の台座２０に対する傾斜角度を複数段の別の角度に容易に変更することができる。
【００７３】
（実施の形態２）
次に、本発明の他の実施の形態２について説明する。実施の形態１では、突起部１０２が溝部２０３に確実に固定されることにより装置本体１０の台座２０に対する傾斜角度が容易に変ることを防ぐことができる電話装置１について説明した。そして例えば、第２の領域における溝部上面２０５と溝部外縁との成す角度（γ）について溝部２０３の形成し易さを考慮して自由に形成することができることを説明した。
【００７４】
実施の形態２では、溝部２０３の形成し易さを考慮して自由に形成する一例を成形金型の形状及び成形金型の具体的な動作を示しながら説明する。なお、図１から図１０に示した同じ構成のものは、同符号を付して説明は省略する。
【００７５】
図１１は、支脚支持部２０１の金型を閉じた状態を説明する図である。図１２は、支脚支持部２０１の金型を開いた状態を説明する図である。いずれも、先に図７において説明した本体支持部３０のＢ−Ｂ線断面図に対応する断面図である。
【００７６】
図１１において、金型４０１は溝部２０３を形成するとともに傾斜ピンとして動作する傾斜金型である。金型４０２は金型を閉じた状態のときに金型４０１を支脚支持部２０１方向へ固定するコア金型である。
【００７７】
金型４０１は、溝部２０３を形成するに当たり溝部下面２０６を、溝部外縁との間で略直角、或いは略直角よりも小さい角度（θ）を成すように形成するものである。また、溝部上面２０５を、溝部下面２０６と平行か溝部２０３の底面に向かって狭くなるように形成するものである。電話装置１においては、溝部２０３の形成し易さを考慮して自由に形成することができるためこのような形成が可能となる。
【００７８】
金型４０２は、図に示すように金型を閉じた状態では金型４０１と一体となって支脚支持部２０１に溝部２０３を形成する。
【００７９】
形成が完了して、傾斜ピンとして動作する金型４０１に細矢印の方向に外部から力を加えると、図１２に示すように、コア金型である金型４０２に対して金型４０１及び台座２０が押し上げられ金型を開いた状態となる。
【００８０】
金型が開いた状態では、金型４０１と金型４０２との接触面の傾斜により、金型４０１には太矢印に力が動く。
【００８１】
このとき、金型４０１は、溝部上面２０５を、溝部下面２０６と平行か溝部２０３の底面に向かって狭くなるように形成するものであり、溝部上面２０５と溝部下面２０６とは抜き勾配を持っている。よって、金型４０１は、支脚支持部２０１から容易に抜ける。
【００８２】
このように、通常であれば突起部１０２を確実に固定するために溝部２０３が金型を開いただけでは抜けないアンダーカット形状になることは否めない場合であっても、溝部２０３の形成において抜き勾配を確保できる。
【００８３】
また、図示していないが溝部上面２０４と溝部下面２０７との関係においても、溝部下面２０７を溝部上面２０４と平行か溝部２０３の底面に向かって狭くなるように形成することが可能であり、同様に溝部２０３の形成において抜き勾配を確保できる。
【００８４】
このため、特殊な工法を用いずとも、溝部２０３の形成が容易にできる。
【００８５】
（実施の形態３）
次に、本発明の他の実施の形態３について説明する。実施の形態１では、装置本体１０の台座２０に対する傾斜角度が容易に変ることを防ぐことができる電話装置１について説明した。そして、装置本体１０を台座２０から取り外すときに軸支持部１０７の破損を防止する当接リブ１０８を備えている旨を説明した。
【００８６】
実施の形態３では、当接リブ１０８の作用について具体的な動作を示しながら説明する。なお、図１から図１０に示した同じ構成のものは、同符号を付して説明は省略する。
【００８７】
図１３は、平常時の当接リブ１０８の状態を説明する図である。図１４は、台座２０への当接リブ１０８の接触状態を説明する図である。図１５は、当接リブ１０８の作用を説明する図である。いずれも、台座２０に設けられた軸部２０２、軸部２０２を支持する軸支持部１０７、当接リブ１０８上に断面を持つ断面図である。
【００８８】
図１３において、当接リブ１０８の先端は、台座２０とは直接当接していない状態であり、軸部２０２に対しては何らの作用は生じていない。
【００８９】
このとき、係合解除部材１０４を台座２０の下方から上方へ押し上げると突起部１０２と溝部２０３との嵌合を解くことができる。
【００９０】
突起部１０２と溝部２０３との嵌合が解けると、台座２０は装置本体１０に対して軸部２０２を中心にして、図１４のように矢印方向に揺動する。そして台座２０と当接リブ１０８の先端とが当接する。台座２０と当接リブ１０８の先端とが当接すると、軸部２０２を中心にした台座２０の揺動の力は、この当接部分を支点とする回転の力に変化する。
【００９１】
そして、最後には図１５のように、台座２０と当接リブ１０８の当接部分を支点とする回転の力によって軸部２０２に対して矢印方向の作用、即ち、軸部２０２を軸支持部１０７から引き離す作用が生じる。
【００９２】
これにより、装置本体１０を台座２０から取り外す必要がある場合に、軸部２０２や軸支持部１０７が破損してしまう問題をなくすことができる。
【産業上の利用可能性】
【００９３】
本発明は、操作パネル部を所望の傾斜に簡単に設定でき、かつ、確実に固定することができるので、卓上や壁に設置して、表示を見たり操作したりするために操作性を向上させた端末装置に好適である。
【符号の説明】
【００９４】
１  電話装置
１０  装置本体
１０１  支脚
１０２  突起部
１０３  係合部材
１０４  係合解除部材
１０５  突起部上面
１０６  突起部下面
１０７  軸支持部
１０８  当接リブ
１１  操作パネル部
１２  本体基部
１３  表示部
１４  操作キー部
２０  台座
２０１  支脚支持部
２０２  軸部
２０３  溝部
２０４  溝部上面
２０５  溝部上面
２０６  溝部下面
２０７  溝部下面
３０  本体支持部
４０１、４０２  金型
Ｈ  送受話器
【図１】
0006347046.tif 000002
【図２】
0006347046.tif 000003
【図３】
0006347046.tif 000004
【図４】
0006347046.tif 000005
【図５】
0006347046.tif 000006
【図６】
0006347046.tif 000007
【図７】
0006347046.tif 000008
【図８】
0006347046.tif 000009
【図９】
0006347046.tif 000010
【図１０】
0006347046.tif 000011
【図１１】
0006347046.tif 000012
【図１２】
0006347046.tif 000013
【図１３】
0006347046.tif 000014
【図１４】
0006347046.tif 000015
【図１５】
0006347046.tif 000016